(57)【要約】【課題】必要とされるＸ線照射野のサイズが大きい検査を狭い検査室でも実施し、かつ、検査効率を向上すること。【解決手段】被検体Ｐが戴置される寝台１０１と、Ｘ線を発生するＸ線管球１０２と、発生したＸ線を絞り込むＸ線絞り１０３と、被検体Ｐを透過したＸ線を検出するＸ線検出器１０４と、Ｘ線管球１０２を保持する管球保持部１０５と、管球保持部１０５および寝台１０１を連結するスタンド１０６と、管球保持部１０５に設けられたハンドル１０７とから構成される寝台装置１００によってＸ線画像を撮影する際に、操作者がハンドル１０７を移動することにより、管球保持部１０５は、Ｘ線管球１０２のＸ線照射方向に沿ってスライドする。【選択図】        図２
2010082319.tif 000002
【特許請求の範囲】
【請求項１】
被検体が戴置される寝台を挟んでＸ線を照射するＸ線管球および当該被検体を透過したＸ線を検出するＸ線検出器が配置された寝台装置を用いてＸ線画像を撮影するＸ線撮影装置であって、
前記Ｘ線管球を保持する管球保持部と、
前記管球保持部と前記寝台とを連結する連結部と、
前記Ｘ線管球のＸ線照射方向に沿って、前記管球保持部を移動させる移動機構と、
を備えたことを特徴とするＸ線撮影装置。
【請求項２】
前記連結部は、前記Ｘ線管球のＸ線照射方向に沿った直動レールを有し、
前記管球保持部は、前記直動レールを介して前記連結部と連結され、
前記移動機構は、前記直動レールに沿って前記管球保持部を移動させることを特徴とする請求項１に記載のＸ線撮影装置。
【請求項３】
前記連結部は、前記移動機構による前記管球保持部の移動を可能にするとともに、前記移動機構によって移動された前記管球保持部を所定の位置にて固定するための移動固定機構をさらに備えることを特徴とする請求項２に記載のＸ線撮影装置。
【請求項４】
被検体が戴置される寝台を挟んでＸ線を照射するＸ線管球および当該被検体を透過したＸ線を検出するＸ線検出器が配置された寝台装置であって、
前記Ｘ線管球を保持する管球保持部と、
前記管球保持部と前記寝台とを連結する連結部と、
前記Ｘ線管球のＸ線照射方向に沿って、前記管球保持部を移動させる移動機構と、
を備えたことを特徴とする寝台装置。
【発明の詳細な説明】
【技術分野】
【０００１】
この発明は、Ｘ線撮影装置および寝台装置に関する。
【背景技術】
【０００２】
従来より、普及型のＸ線診断装置では、被検体が戴置される寝台を挟んでＸ線を照射するＸ線管球および被検体を透過したＸ線を検出するＸ線検出器が配置された普及型Ｘ線ＴＶ寝台が用いられている。
【０００３】
普及型Ｘ線ＴＶ寝台は、「Ｘ線診断のために人体（被検体）の位置決めができ、Ｘ線像を記録することができる撮影台」として規格が定められている医用Ｘ線直接撮影台（例えば、非特許文献１参照）に該当する寝台装置であり、例えば、Ｘ線検出器としてイメージ・インテンシファイヤ（Ｉ．Ｉ．：Ｉｍａｇｅ  Ｉｎｔｅｎｓｉｆｉｅｒ）を搭載している。
【０００４】
具体的には、図４に示すように、普及型Ｘ線ＴＶ寝台などの寝台装置において、寝台の上側に配置されるＸ線管球は、管球保持部によって保持され、管球保持部は、スタンドによって寝台に連結される。また、Ｉ．Ｉ．（図示せず）は、Ｘ線管球に対向するように寝台の下側に取り付けられる。なお、図４は、従来技術を説明するための図である。
【０００５】
ここで、Ｘ線診断装置を用いて消化器系検査と胸部検査との２つの検査を実施することがあるが、胸部検査時に必要とされるＸ線照射野のサイズは、消化器系検査に必要とされるＸ線照射野のサイズと比べて大きくなる。しかし、普及型Ｘ線ＴＶ寝台では、Ｘ線管球を寝台に対して上下方向に移動させることができないため、胸部検査時に必要とされるＸ線照射野のサイズを確保することができない。
【０００６】
このため、寝台を立位にしたうえで、図４に示すように、管球保持部とスタンドとの連結部を回転させ（例えば、３０度回転させ）、さらに、十分な照射野を確保できる場所に立位の被検体を撮影することができるリーダ撮影台を設置することで、同一の検査室で消化器系検査とともに胸部検査を実施することが行なわれている。なお、図４においては、胸部検査時における寝台装置のうち、立位にされた寝台を省略して、Ｘ線管球、管球保持部およびスタンドのみを示している。
【０００７】
【非特許文献１】ＪＩＳ規格Ｚ４９０４
【発明の開示】
【発明が解決しようとする課題】
【０００８】
ところで、上記した従来の技術は、胸部検査のように「必要とされるＸ線照射野のサイズが大きい検査」を実施するために、寝台装置とは別に、検査室にリーダ撮影台を設置する必要があるので、広い検査室が必要となるという課題があった。
【０００９】
また、上記した従来の技術は、胸部検査を行う際に、被検体が寝台から降りてリーダ撮影台まで移動し、かつ、操作者が寝台を立位にして管球保持部とスタンドとの連結部を回転調整する必要があるので、検査効率が低下するという課題があった。
【００１０】
そこで、この発明は、上述した従来技術の課題を解決するためになされたものであり、必要とされるＸ線照射野のサイズが大きい検査を狭い検査室でも実施することが可能となり、かつ、検査効率を向上することが可能となるＸ線撮影装置および寝台装置を提供することを目的とする。
【課題を解決するための手段】
【００１１】
上述した課題を解決し、目的を達成するため、請求項１記載の本発明は、被検体が戴置される寝台を挟んでＸ線を照射するＸ線管球および当該被検体を透過したＸ線を検出するＸ線検出器が配置された寝台装置を用いてＸ線画像を撮影するＸ線撮影装置であって、前記Ｘ線管球を保持する管球保持部と、前記管球保持部と前記寝台とを連結する連結部と、前記Ｘ線管球のＸ線照射方向に沿って、前記管球保持部を移動させる移動機構と、を備えたことを特徴とする。
【００１２】
また、請求項４記載の本発明は、被検体が戴置される寝台を挟んでＸ線を照射するＸ線管球および当該被検体を透過したＸ線を検出するＸ線検出器が配置された寝台装置であって、前記Ｘ線管球を保持する管球保持部と、前記管球保持部と前記寝台とを連結する連結部と、前記Ｘ線管球のＸ線照射方向に沿って、前記管球保持部を移動させる移動機構と、を備えたことを特徴とする。
【発明の効果】
【００１３】
請求項１または４記載の本発明によれば、必要とされるＸ線照射野のサイズが大きい検査を狭い検査室でも実施することが可能となり、かつ、検査効率を向上することが可能となる。
【発明を実施するための最良の形態】
【００１４】
以下に添付図面を参照して、この発明に係るＸ線撮影装置および寝台装置の好適な実施例を詳細に説明する。なお、以下では、普及型のＸ線透視撮影装置に本発明に関わる寝台装置を適用した場合を実施例として説明する。
【実施例】
【００１５】
まず、本実施例におけるＸ線透視撮影装置の全体構成について説明する。図１は、本実施例におけるＸ線透視撮影装置の全体構成を示す構成図である。
【００１６】
図１に示すように、本実施例におけるＸ線透視撮影装置は、寝台１０１と、Ｘ線管球１０２と、Ｘ線絞り１０３と、Ｘ線検出器１０４と、管球保持部１０５と、スタンド１０６と、ハンドル１０７とから構成される寝台装置１００を備え、寝台装置１００によってＸ線画像を撮影する。なお、図１には示さないが、Ｘ線透視撮影装置は、操作者が操作する操作卓をさらに備えており、寝台装置１００は、操作者の指示を操作卓を介して受け付けることにより動作し、Ｘ線画像の撮影を行なう。
【００１７】
寝台１０１は、Ｘ線診断のための検査対象となる被検体Ｐが戴置されるベッドである。検査時において、被検体Ｐは、撮影部位にしたがって位置決めされたうえで、寝台１０１にて固定される。
【００１８】
Ｘ線管球１０２は、Ｘ線を発生させるための真空管であり、Ｘ線を発生させるための高電圧は、高電圧発生器（図示せず）から供給される。
【００１９】
Ｘ線絞り１０３は、Ｘ線管球１０２に取り付けられ、Ｘ線管球１０２が発生したＸ線が被検体Ｐの診断対象領域に対して選択的に照射されるよう絞り込む装置である。
【００２０】
Ｘ線検出器１０４は、被検体Ｐを透過したＸ線を検出する装置であり、例えば、イメージ・インテンシファイヤ（Ｉ．Ｉ．：Ｉｍａｇｅ  Ｉｎｔｅｎｓｉｆｉｅｒ）によって構成され、寝台１０１の下側に取り付けられる。なお、Ｘ線検出器１０４によって検出されたＸ線データは、操作卓に送信され、操作卓においてＸ線画像として生成される。
【００２１】
管球保持部１０５は、Ｘ線管球１０２を保持し、スタンド１０６は、管球保持部１０５および寝台１０１を連結する。これにより、図１に示すように、Ｘ線管球１０２とＸ線検出器１０４とは、寝台１０１を挟んで対向するように配置される。なお、図１に示すように、管球保持部１０５には、ハンドル１０７が取り付けられているが、これについては、後に詳述する。
【００２２】
図１に示す状態で、本実施例におけるＸ線透視撮影装置は、寝台装置１００を用いて、消化器系検査（例えば、胃検査など）のための腹部Ｘ線画像を撮影する。すなわち、本実施例におけるＸ線透視撮影装置は、Ｘ線管球１０２から発生したＸ線をＸ線絞り１０３により絞り込んだうえで寝台１０１に横たわった被検体Ｐに照射し、Ｘ線検出器１０４によって被検体Ｐを透過したＸ線を検出することで、Ｘ線画像を撮影する。
【００２３】
このように、本実施例におけるＸ線透視撮影装置は、寝台装置１００を用いてＸ線画像を撮影する。ここで、本実施例におけるＸ線透視撮影装置は、例えば、胸部検査のように、消化器系検査と比較して必要とされるＸ線照射野のサイズが大きい検査を狭い検査室でも実施することが可能となり、かつ、検査効率を向上することが可能となることに主たる特徴がある。以下、この主たる特徴について、図２および３を用いて説明する。なお、図２は、本実施例におけるＸ線透視撮影装置の胸部検査実施時での状態を説明するための図であり、図３は、本実施例における管球保持部のスライド機構を説明するための図である。
【００２４】
本実施例におけるＸ線透視撮影装置では、胸部検査実施時において、図２に示すように、寝台１０１に被検体Ｐが戴置されたまま寝台装置１００全体が立位の状態に移行される。
【００２５】
そして、胸部検査に必要とされる広いＸ線照射野を確保するために、本実施例におけるＸ線透視撮影装置の操作者は、Ｘ線管球１０２のＸ線照射方向に沿って（図２に示す矢印の向き）管球保持部１０５をハンドル１０７によりスライドさせる。これにより、Ｘ線管球１０２と被検体Ｐとの距離は、図１に示す状態から大きくなり、胸部検査に必要とされる広いＸ線照射野が確保される。
【００２６】
具体的な管球保持部１０５のスライド機構について、図３を用いて説明する。
【００２７】
図３に示すように、スタンド１０６は、Ｘ線管球１０２のＸ線照射方向に沿った２本の直動レール１０８を有し、管球保持部１０５は、２本の直動レール１０８を介して、スタンド１０６と連結される。そして、操作者がハンドル１０７を水平方向に移動させることにより、管球保持部１０５は、２本の直動レール１０８に沿ってスライドする。
【００２８】
さらに、図３に示すように、スタンド１０６は、ロック用操作部１０９およびロック用レール１１０を備えている。
【００２９】
管球保持部１０５の移動を行なう際に、操作者は、ロック用操作部１０９を図３において手前に引く。これにより、ロック用操作部１０９がロック用レール１１０と離れ、管球保持部１０５は、スライド可能な状態となる。
【００３０】
また、管球保持部１０５がハンドル１０７の移動により所望の位置までスライドされた時点で、操作者は、ロック用操作部１０９を離す。これにより、例えば、ロック用操作部１０９がロック用レール１１０と嵌合され、管球保持部１０５は、ロックされる。
【００３１】
上述してきたように、本実施例では、操作者によりハンドル１０７が移動されることにより、Ｘ線管球１０２のＸ線照射方向に沿ってＸ線管球１０２を保持する管球保持部１０５がスライドするので、胸部検査のように消化器系検査と比較して必要とされるＸ線照射野のサイズが大きい検査を、リーダ撮影台を設置することなく、消化器系検査を行なった被検体Ｐが寝台１０１に載ったまま寝台装置１００を立位させるだけで実施することができ、上記した主たる特徴の通り、必要とされるＸ線照射野のサイズが大きい検査を狭い検査室でも実施することが可能となり、かつ、検査効率を向上することが可能となる。さらに、リーダ撮影台の必要性がなく、かつ広い検査室を病院内に設ける必要性がなくなるので、Ｘ線透視撮影装置の導入コストを低減することが可能となる。
【００３２】
また、本実施例では、管球保持部１０５が、Ｘ線照射方向に沿った２本の直動レール１０８を介してスタンド１０６と連結され、操作者によりハンドル１０７が移動されることにより、管球保持部１０５が２本の直動レール１０８に沿ってスライドするので、管球保持部１０５の移動機構を簡易に実現することが可能となる。
【００３３】
また、本実施例では、ロック用操作部１０９およびロック用レール１１０をスタンド１０６に設けるので、管球保持部１０５の移動および固定を確実に行なうことが可能となる。
【産業上の利用可能性】
【００３４】
以上のように、本発明に係るＸ線撮影装置および寝台装置は、被検体が戴置される寝台を挟んでＸ線を照射するＸ線管球および当該被検体を透過したＸ線を検出するＸ線検出器が配置された寝台装置を用いてＸ線画像を撮影する場合に有用であり、特に、必要とされるＸ線照射野のサイズが大きい検査を狭い検査室でも実施し、かつ、検査効率を向上することに適する。
【図面の簡単な説明】
【００３５】
【図１】本実施例におけるＸ線透視撮影装置の全体構成を示す構成図である。
【図２】本実施例におけるＸ線透視撮影装置の胸部検査実施時での状態を説明するための図である。
【図３】本実施例における管球保持部のスライド機構を説明するための図である。
【図４】従来技術を説明するための図である。
【符号の説明】
【００３６】
１００  寝台装置
１０１  寝台
１０２  Ｘ線管球
１０３  Ｘ線絞り
１０４  Ｘ線検出器
１０５  管球保持部
１０６  スタンド
１０７  ハンドル
１０８  直動レール
１０９  ロック用操作部
１１０  ロック用レール
【図１】
2010082319.tif 000003
【図２】
2010082319.tif 000004
【図３】
2010082319.tif 000005
【図４】
2010082319.tif 000006